(57)【特許請求の範囲】
【請求項１】
絶縁物を有する電気泳動器具であって、
該絶縁物は、
第１分離媒体を内部に収納するための第１分離媒体収納部；
第１分離媒体収納部と外部とを連絡しかつ第１分離媒体での分離方向を規定するための第１開口部および第２開口部；ならびに
穿孔可能な絶縁薄膜にて被覆された第３開口部
を備えていることを特徴とする電気泳動器具。
【請求項２】
前記絶縁物が第１板状絶縁体および前記絶縁薄膜を備え、第１分離媒体収納部が該第１板状絶縁体上に設けられた凹部であり、該絶縁薄膜が前記第１分離媒体を収納するための該凹部の開口を被覆していることを特徴とする請求項１に記載の電気泳動器具。
【請求項３】
絶縁物を有する電気泳動器具であって、
該絶縁物は、
第１分離媒体が内部に収納されている第１分離媒体収納部；
第１分離媒体収納部と外部とを連絡しかつ第１分離媒体での分離方向を規定するための第１開口部および第２開口部；ならびに
穿孔可能な絶縁薄膜にて被覆された第３開口部
を備えていることを特徴とする電気泳動器具。
【請求項４】
前記絶縁物が第１板状絶縁体および前記絶縁薄膜を備え、第１分離媒体収納部が該第１板状絶縁体上に設けられた凹部であり、該絶縁薄膜が前記第１分離媒体を被覆していることを特徴とする請求項３に記載の電気泳動器具。
【請求項５】
前記絶縁物が第２板状絶縁体をさらに備え、前記第３開口部が第２板状絶縁体に設けられていることを特徴とする請求項２または４のいずれか１項に記載の電気泳動器具。
【請求項６】
第１板状絶縁体または前記絶縁薄膜が光透過性材料からなることを特徴とする請求項２，４，または５のいずれか１項に記載の電気泳動器具。
【請求項７】
第１開口部にて第１分離媒体と接触させる第１緩衝液を充填するための第１緩衝液槽および第２開口部にて第１分離媒体と接触させる第２緩衝液を充填するための第２緩衝液槽がさらに備えられていることを特徴とする請求項１〜６のいずれか１項に記載の電気泳動器具。
【請求項８】
前記絶縁物、第１緩衝液槽および第２緩衝液槽が一体形成されていることを特徴とする請求項７に記載の電気泳動器具。
【請求項９】
第１開口部または第２開口部が、サンプルを保持した第２分離媒体を密着させる形状を有していることを特徴とする請求項１〜８のいずれか１項に記載の電気泳動器具。
【請求項１０】
第１分離媒体の分離パラメータが第２分離媒体の分離パラメータと異なることを特徴とする請求項９に記載の電気泳動器具。
【請求項１１】
前記絶縁薄膜は、膜厚が１０００μｍ以下であることを特徴とする請求項１〜１０のいずれか１項に記載の電気泳動器具。
【請求項１２】
前記絶縁薄膜は、突き刺し強度が１〜５０ｍＮの範囲内であることを特徴とする請求項１〜１０のいずれか１項に記載の電気泳動器具。
【請求項１３】
前記絶縁薄膜がポリスチレンフィルム、ポリエチレンテレフタレートフィルム、ポリ塩化ビニルフィルム、ポリ塩化ビニリデンフィルム、ポリオレフィン系樹脂フィルム、または二軸延伸性ポリプロピレンフィルムであることを特徴とする請求項１〜１０のいずれか１項に記載の電気泳動器具。
【請求項１４】
請求項１〜１３のいずれか１項に記載の電気泳動器具、および第１分離媒体中のサンプルを切り出すための切り出し手段が備えられていることを特徴とする電気泳動装置。
【請求項１５】
第１分離媒体中のサンプルを照射するための照射手段、および該サンプルからの蛍光を検出するための検出手段がさらに備えられていることを特徴とする請求項１４に記載の電気泳動装置。
【発明の詳細な説明】
【技術分野】
【０００１】
本発明は、電気泳動装置および当該装置を構成する器具に関するものであり、より詳細には、分離媒体を外部に取り出さずに感度よくモニタリングし得、かつ分離媒体の所望の部分を切り出して他の分析への移行を簡便に行い得る電気泳動装置および当該装置を構成する器具に関するものである。
【背景技術】
【０００２】
電気泳動を用いた分析（例えば、質量分析）では、分離媒体である電気泳動ゲルが充填されたカセットを泳動槽に配置し、タンパク質（またはＤＮＡ／ＲＮＡ）を含むサンプルをアプライし、電気泳動を行った後にゲルをカセットから取り出し、ゲルを染色した結果を観察し、所望の部分をゲルから切り出し、切り出したゲル片を用いている。
【０００３】
サンプルの分離・展開に用いる電気泳動用のゲルは薄く、壊れやすい。電気泳動後のこのようなゲル中に含まれるタンパク質分離スポット（バンド）を検出および／または定量するためには、（１）カセットを泳動槽から取り外し、（２）カセットを分解してゲルを取り出し、（３）ゲルを検出装置へ搬送し（または搬送するために平坦な固定板に載せ）、そして（４）ゲルの変形を防止するために液体に浸す（またはサポートフィルムに固定化する）。このような操作は煩雑であり、ゲルは有毒であるので、取り出し操作は危険を伴う。さらに、電気泳動を行った後に取り出したゲルを染色するので無駄な時間を要する。蛍光染色を施したサンプルを用いてゲル染色までの工程を省略する方法（例えば、特許文献１および２を参照のこと）が知られている。
【０００４】
ゲルに触れることなく所望の部分を切り出すための技術もまた知られている（例えば、特許文献３〜６を参照のこと）。これらの技術を用いれば、ゲルまたはゲル片に触れることなく引き続く分析工程を行うことができる。
【特許文献１】特開平５−２１５７１３号公報（平成５年８月２４日公開）
【特許文献２】特開平５−２１５７１４号公報（平成５年８月２４日公開）
【特許文献３】特開平７−１３２０７９号公報（平成７年５月２３日公開）
【特許文献４】特開２００５−６９９０５公報（平成１７年３月１７日公開）
【特許文献５】特開２００５−７７２４２公報（平成１７年３月２４日公開）
【特許文献６】特開２００５−１７２６２１公報（平成１７年６月３０日公開）
【発明の開示】
【発明が解決しようとする課題】
【０００５】
しかしながら、特許文献１および２に記載されている技術を用いても種々の分析を行うためにはゲルから所望の部分を切り出す必要がある。また、特許文献３〜６に記載されている技術を用いるためには、上述した（１）〜（４）のような煩雑な操作、場合により取り出したゲルを染色する操作、および検出装置からゲルを切り出す装置へ移動することが必要である。
【０００６】
これらの２種類の技術は、ゲルをカセットから取り出すことが不可欠であるため、これらの技術を組み合わせて行う際においても、作業者がゲルに触れることなく連続的に行い得るものではなく、当業者は、ゲルとの接触を回避することはできなかった。特に、電気泳動工程の機械化・自動化を試みたとしても、ゲルをカセットから取り出すことなく検出し、所望の部分をゲルから切り出すことができなかった。ゲルを取り出すことにより、タンパク質分離スポットが拡散したり、ゲルが汚染、乾燥または変形したりするので、電気泳動終了後に他の分析工程へ首尾よく移行することができない。
【０００７】
本発明は、上記の問題点に鑑みてなされたものであり、その目的は、電気泳動を開始した後、作業者が電気泳動ゲルに接触することなく、分離したタンパク質を容易に確認し、所望の部分を所望の時点で容易に切り出し得るサンプリング可能な電気泳動装置を実現することにある。
【課題を解決するための手段】
【０００８】
本発明に係る電気泳動器具は、絶縁物を有し、
該絶縁物は、
第１分離媒体を内部に収納するための第１分離媒体収納部；
第１分離媒体収納部と外部とを連絡しかつ第１分離媒体での分離方向を規定するための第１開口部および第２開口部；ならびに
穿孔可能な絶縁薄膜にて被覆された第３開口部
を備えていることを特徴としている。
【０００９】
本発明は、電気泳動用の分離媒体を保持する電気泳動器具に関する。本発明に係る電気泳動器具は、上記構成を有することにより、第１開口部から第２開口部に向けてサンプル分離するように電流が流れる際に所望の時点で分離中のサンプルを回収し得る第１分離媒体を収納することができる。
【００１０】
本発明に係る電気泳動器具において、絶縁物は第１板状絶縁体および絶縁薄膜を備え、第１分離媒体収納部が該第１板状絶縁体上に設けられた凹部であり、該絶縁薄膜が前記第１分離媒体を被覆していることが好ましい。
【００１１】
本発明に係る電気泳動器具は、上記構成を有することにより、公知のスラブゲル電気泳動用装置に適用し得るとともに、第１分離媒体を収納する凹部の開口を絶縁薄膜によって外部と遮断した状態で保存することができる。
【００１２】
本発明に係る電気泳動器具は絶縁物を有し、
該絶縁物は、
第１分離媒体が内部に収納されている第１分離媒体収納部；
第１分離媒体収納部と外部とを連絡しかつ第１分離媒体での分離方向を規定するための第１開口部および第２開口部；ならびに
穿孔可能な絶縁薄膜にて被覆された第３開口部
を備えていることを特徴としている。
【００１３】
本発明に係る電気泳動器具は、上記構成を有することにより、第１分離媒体中にて第１開口部から第２開口部に向けてサンプル分離するように電流が流れる際に所望の時点で分離中のサンプルを回収することができる。
【００１４】
本発明に係る電気泳動器具において、絶縁物は第１板状絶縁体および絶縁薄膜を備え、第１分離媒体収納部は第１板状絶縁体上に設けられた凹部であり、絶縁薄膜は第１分離媒体を被覆していることが好ましい。
【００１５】
本発明に係る電気泳動器具は、上記構成を有することにより、公知のスラブゲル電気泳動用装置に適用し得るとともに、第１分離媒体を絶縁薄膜によって外部と遮断した状態で保存することができる。
【００１６】
本発明に係る電気泳動器具において、絶縁物は第２板状絶縁体をさらに備え、第１分離媒体収納部は第１板状絶縁体上に設けられた凹部であることが好ましい。
【００１７】
本発明に係る電気泳動器具は、上記構成を有することにより、器具全体により強度を持たせることができ、かつ公知のスラブゲル同様に取り扱うことができる利便性を有している。
【００１８】
本発明に係る電気泳動器具において、第３開口部は第２板状絶縁体に設けられていることが好ましい。
【００１９】
本発明に係る電気泳動器具は、第１分離媒体を収納する基板とは別の基板に第３開口部を設けることにより、器具内での第１分離媒体の作製が容易になり、第１分離媒体の封着が容易になる。
【００２０】
本発明に係る電気泳動器具において、第１板状絶縁体または絶縁薄膜が光透過性材料からなることが好ましい。
【００２１】
本発明に係る電気泳動器具は、第１板状絶縁体または絶縁薄膜が光透過性材料からなることにより、第１板状絶縁体または絶縁薄膜を介して光照射および蛍光検出を行うことが可能であり、第１分離媒体を第１分離媒体収納部において検出し、その場において所望の部分を第１分離媒体から切り出すサンプリング操作が可能になる。
【００２２】
本発明に係る電気泳動器具において、第１開口部にて第１分離媒体と接触させる第１緩衝液を充填するための第１緩衝液槽および第２開口部にて第１分離媒体と接触させる第２緩衝液を充填するための第２緩衝液槽がさらに備えられていることが好ましい。
【００２３】
本発明に係る電気泳動器具は、電気泳動に必要な緩衝液を充填するための緩衝液槽を有しているので、新たな組立ての必要性がない。
【００２４】
本発明に係る電気泳動器具において、上記絶縁物、第１緩衝液槽および第２緩衝液槽が一体形成されていることが好ましい。
【００２５】
本発明に係る電気泳動器具は、電気泳動に必要な緩衝液を充填するための緩衝液槽を一体化して有しているので、操作／運搬が容易である。
【００２６】
本発明に係る電気泳動器具において、第１開口部または第２開口部が、サンプルを保持した第２分離媒体を密着させる形状を有していることが好ましい。
【００２７】
本発明に係る電気泳動器具は、第１開口部または第２開口部が、サンプルを保持した第２分離媒体を密着させる形状を有していることにより、サンプルを確実に第１分離媒体に移動させることができ、かつ第１分離媒体においてより高度な分離を遂行することができる。
【００２８】
本発明に係る電気泳動器具が上記構成を有することにより、別の分離媒体にて分離したサンプルを第１分離媒体に供給することができ、２次元電気泳動を実行し得る。
【００２９】
本発明に係る電気泳動器具において、第１分離媒体の分離パラメータは第２分離媒体の分離パラメータと異なることが好ましい。
【００３０】
本発明に係る電気泳動器具は、上記構成を有することにより、より高度な分解能を有し得る。
【００３１】
本発明に係る電気泳動器具において、上記絶縁薄膜は、膜厚が１０００μｍ以下であることが好ましい。上記絶縁薄膜の膜厚は、フィルムの材質に応じて８００μｍ以下であることがより好ましく、５００μｍ以下であることがさらに好ましく、１２５μｍ以下であることが最も好ましい。
【００３２】
本発明に係る電気泳動器具において、上記絶縁薄膜は、突き刺し強度が１〜５０ｍＮの範囲内であることが好ましい。
【００３３】
本発明に係る電気泳動器具において、上記絶縁薄膜はポリスチレンフィルム、ポリエチレンテレフタレートフィルム、ポリ塩化ビニルフィルム、ポリ塩化ビニリデンフィルム、ポリオレフィン系樹脂フィルム、またはポリプロピレンフィルムであることが好ましい。
【００３４】
本発明に係る電気泳動装置は、上記電気泳動器具、および第１分離媒体中のサンプルを切り出すための切り出し手段が備えられていることを特徴としている。
【００３５】
本発明に係る電気泳動装置は、上記構成を有することにより、所望の時点で分離中のサンプルを回収し得る第１分離媒体を収納することができる。
【００３６】
本発明に係る電気泳動装置は、第１分離媒体中のサンプルを照射するための照射手段、および該サンプルからの蛍光を検出するための検出手段がさらに備えられていることが好ましい。
【００３７】
本発明に係る電気泳動装置は、上記構成を有することにより、分離中のサンプルを観察することができる。
【００３８】
本発明に係る電気泳動装置は、第１分離媒体に電圧を印加するための第１電圧印加手段がさらに備えられていることが好ましい。
【００３９】
本発明に係る電気泳動装置において、第１緩衝液槽および第２緩衝液槽に挿入するための第１電極および第２電極は、第１電圧印加手段と連結された第１配線手段に設けられていることが好ましい。
【００４０】
本発明に係る電気泳動装置は、緩衝液槽とは独立した形態で電極を有することにより、電極の取替えや洗浄を容易に行い得る。
【００４１】
本発明に係る電気泳動装置は、サンプルを保持した第２分離媒体を第１開口部または第２開口部へ移動するための移動手段がさらに備えられていることが好ましい。
【００４２】
ゲルの変形または汚染を防止するためには、ヒトの手を介することなく電気泳動が行われることが必要である。本発明に係る電気泳動装置は、上記移動手段という自動搬送系を有することにより、自動化された２次元電気泳動を可能にする。
【００４３】
本発明に係る電気泳動装置において、第１配線手段は上記移動手段によって移動されることが好ましい。
【００４４】
本発明に係る電気泳動装置は、上記構成を有することにより、ヒトの手を介することなく自動搬送系による自動化された２次元電気泳動を可能にする。
【００４５】
本発明に係る電気泳動装置は、サンプルを第２分離媒体中で分離するための分離器具がさらに備えられており、上記移動手段が、第２分離媒体中を分離器具から第１開口部または第２開口部へ移動することが好ましい。
【００４６】
本発明に係る電気泳動装置は、上記構成を有することにより、ヒトの手を介することなく自動搬送系による自動化された２次元電気泳動を可能にする。
【００４７】
本発明に係る電気泳動装置は、第２分離媒体中体に電圧を印加するための第２電圧印加手段がさらに備えられていることが好ましい。
【００４８】
本発明に係る電気泳動装置は、上記構成を有することにより、自動化された２次元電気泳動を可能にする。
【００４９】
本発明に係る電気泳動装置において、分離器具に挿入するための第３電極が、第２電圧印加手段と連結された第２配線手段に設けられていることが好ましい。
【００５０】
本発明に係る電気泳動装置は、上記構成を有することにより、自動化された２次元電気泳動を可能にする。
【００５１】
本発明に係る電気泳動装置において、第２配線手段が上記移動手段によって移動されることが好ましい。
【００５２】
本発明に係る電気泳動装置は、上記構成を有することにより、自動化された２次元電気泳動を可能にする。
【００５３】
本発明に係る電気泳動装置において、上記切り出し手段、上記照射手段および上記検出手段を制御するための制御手段がさらに備えられていることが好ましい。
【００５４】
本発明に係る電気泳動装置は、上記構成を有することにより、高度に自動化された２次元電気泳動を可能にする。
【発明の効果】
【００５５】
本発明を用いれば、電気泳動の終了直後にサンプリングすることができる。さらに、本発明を用いれば、ゲルの乾燥、変形および／またはタンパク質分離スポットの拡散などの不利益を抑制または防止し得る。
【００５６】
例えば、サンプル中には、高含有量であり分子量が既知のタンパク質と、微量で未知のタンパク質とが含まれているが、本発明を用いれば、高含有量タンパク質スポットを容易に除去し得る。よって、高含有量タンパク質のスポットの拡散、および高強度の蛍光の拡散・散乱を防止し得、微量タンパク質の微弱な蛍光を検出することができる。
【００５７】
さらに、本発明を用いれば、検出した蛍光を分析する際に、分析処理の範囲が適性となるため、精度を向上させることができる。また、例えば、サンプル中には種々の分子量のタンパク質が含まれているが、電気泳動の初期段階で分離される高分子量タンパク質を電気泳動の初期段階で切り出すことにより、分離状態の高いタンパク質スポットを回収し得、よって、首尾よく分析することができる。
【発明を実施するための最良の形態】
【００５８】
本発明に係る電気泳動器具の一実施形態を、２次元電気泳動用の２Ｄチップ（２次元目電気泳動用チップ）として利用可能な電気泳動器具１００を例として、図１〜４に基づいて説明する。
【００５９】
本発明の一実施形態に係る電気泳動器具の要部構成を示す斜視図を図１に示す。本実施形態に係る電気泳動器具１００において、下部基板（第１板状絶縁体）１、上部基板（第２板状絶縁体）２、およびこれら２枚の基板の間に設けられた樹脂フィルム（絶縁薄膜）３からなる絶縁物１０に、２次元目電気泳動を行う第１分離媒体４を収納する溝部（第１分離媒体収納部）４’、第１緩衝液槽５、第２緩衝液槽６、および第３開口部９が設けられている。図１に示す電気泳動器具１００の断面図を図２に示す。
【００６０】
図１および２に示すような電気泳動器具の作製手順を図３および４を用いて説明する。
【００６１】
上面に溝部４’を設けた下部基板１を、樹脂フィルム３と貼り合せた上部基板２と重ね合わせることにより、溝部４’は絶縁物１０により覆われる。そして上部基板２を貫く２つの溝（第１緩衝液槽５および第２緩衝液槽６）が下部基板１に設けられている。第１分離媒体収納部４’に収納された第１分離媒体４は、第１開口部７および第２開口部８において絶縁物１０の外部と連絡している。第１分離媒体４はまた、上部基板２に設けられた第３開口部９において、樹脂フィルム３によって絶縁物１０の外部と隔てられている。
【００６２】
第１開口部７および第２開口部８は、電気泳動器具１００に設けられた第１緩衝液槽５および第２緩衝液槽６にそれぞれ面している。サンプルの分離を実行するために、第１緩衝液槽５および第２緩衝液槽６には、溝部４’に収納された第１分離媒体４と第１開口部７および第２開口部８にて接する第１緩衝液および第２緩衝液がそれぞれ充填される（図示せず）。
【００６３】
用語「サンプル」は当該分野において標本、調製物と同義で用いられ、本明細書中で使用される場合、「生物学的サンプル」またはその等価物が意図される。「生物学的サンプル」は、供給源としての生物材料（例えば、個体、体液、細胞株、組織培養物もしくは組織切片）から得られる、任意の調製物が意図される。生物学的サンプルとしては、体液（例えば、血液、唾液、歯垢、血清、血漿、尿、滑液、および随液）および組織供給源が挙げられる。好ましい生物学的サンプルは、被験体サンプルである。好ましい被験体サンプルは、被験体から得た皮膚病変部、喀痰、咽頭粘液、鼻腔粘液、膿、または分泌物である。本明細書中で使用される場合、用語「組織サンプル」は、組織供給源より得られた生物学的サンプルが意図される。哺乳動物から組織生検および体液を得るための方法は当該分野で周知である。本明細書中で使用される場合、用語「サンプル」としては、上記生物学的サンプルおよび上記組織サンプル以外に、上記生物学的サンプルおよび上記組織サンプルより抽出したタンパク質サンプル、ゲノムＤＮＡサンプルおよび／または総ＲＮＡサンプルも挙げられる。
【００６４】
上部基板２と樹脂フィルム３とが貼り合わされた構成を用いて電気泳動器具１００を説明したが、樹脂フィルム３は溝部４’が設けられた下部基板１上に貼り合わされていても、上部基板２と樹脂フィルム３とが別々であってもよい。また、図１０および１１に示すように、上部基板２を用いることなく、絶縁物１０が下部基板１と樹脂フィルム３とからなってもよい。
【００６５】
絶縁物１０が下部基板１と樹脂フィルム３とからなる場合、溝部４’には第１分離媒体４がすでに収納されていることが好ましい。また図２では第１緩衝液槽５および第２緩衝液槽６の部位の樹脂フィルム３は除去されているが、この部位の樹脂フィルム３は電気泳動器具１００を使用する直前に除去されてもよい。このような構成を用いれば、第１分離媒体４および緩衝液を収納した電気泳動器具１００を樹脂フィルム３が完全に覆うことができるので、予め試薬を収納した形態で電気泳動器具１００を保存しておくことができる。
【００６６】
電気泳動器具１００以外の場所で作製した第１分離媒体４を溝部４’に収納して用いる場合は、操作性の観点から上部基板２と樹脂フィルム３とが貼り合わされている方が好ましい。もちろん、この場合も、上部基板２なしで樹脂フィルム３のみであってもよい。
【００６７】
いずれの場合であっても、電気泳動器具において第２開口部８から第１開口部７に向かってのみ電流が流れる必要があるので、絶縁物１０は第１開口部７および第２開口部８を除いた部位にて第１分離媒体４に密着しかつ第１分離媒体４を絶縁しなければならない。また、第１緩衝液槽５および第２緩衝液槽６において液体（緩衝液）が保持されなければならないので、絶縁物１０は防水性が高いことが好ましい。このような特性を有する絶縁物の例としては、ポリエチレンテレフタレート、ポリ塩化ビニル、ポリ塩化ビニリデンなどが挙げられるが、これらに限定されない。
【００６８】
また、図５に示すように、第１分離媒体４中の所望のタンパク質（またはＤＮＡなど）バンドを切り出し手段２０によって切り出す場合、樹脂フィルム３は切り出し手段２０によって首尾よく貫かれなければならない。よって、樹脂フィルム３は、中空針状体にて突き刺し貫通可能な樹脂薄膜であることが好ましく、膜厚が１２５μｍ以下であることが好ましく、３０〜１２５μｍの範囲内であることがより好ましい。また、樹脂フィルム３は、先端径５ｍｍ以下の中空針状体にて突き刺し貫通可能な樹脂薄膜であることが好ましく、突し刺し強度が１〜５０ｍＮの範囲内であることがなお好ましい。
【００６９】
上記所望のタンパク質（またはＤＮＡなど）が蛍光標識（または蛍光染色）されている場合、タンパク質（またはＤＮＡなど）バンドの蛍光を検出する必要がある。この場合、蛍光を発生させるためには励起光がタンパク質（またはＤＮＡなど）に届かなければならず、発生した蛍光が第１分離媒体外部に放出されなければならない。よって、絶縁物１０は、励起光および蛍光を透過させる透過部を有していなければならない。透過部は光透過性材料からなり、透過部の透過率は８０％以上が好ましく、８５％以上がより好ましく、９０％以上が最も好ましい。また絶縁物１０は、基板１もしくは絶縁薄膜３のいずれかの一部分に透過部を設ける構成でも、全体が光透過性材料からなってもよい。
【００７０】
タンパク質（またはＤＮＡなど）を標識する蛍光物質に励起光を照射するための照射手段３０およびタンパク質（またはＤＮＡなど）を標識する蛍光物質が発する蛍光を検出するための検出手段４０を設ける部位は適宜設定され得るが、図６に示すように、照射手段３０および検出手段４０を第１分離媒体４の上方に設置されることが好ましい。したがって、樹脂フィルム３は光透過性であることが非常に好ましい。図６では照射手段３０から出射された光が樹脂フィルム３を透過して第１分離媒体４を照射し、第１分離媒体４中のサンプルが照射光によって蛍光を発し、この蛍光を検出手段４０が検出する。もちろん、下部基板１が光透過性であれば、下部基板１の下方に照射手段３０および検出手段４０を設置してタンパク質（またはＤＮＡなど）を標識する蛍光物質が発する蛍光を検出することも可能である。
【００７１】
また、第１開口部７および第２開口部８においてのみ第１分離媒体４が緩衝液と接していることが好ましいので、第１分離媒体４を覆う絶縁物１０は防水性が高い物質からなることが好ましい。
【００７２】
以上の観点から、絶縁物１０を構成する好ましい材料としては、ガラス、樹脂が挙げられ、樹脂材料としてはアクリル樹脂、ＰＤＭＳ、ポリオレフィン系樹脂、ポリカーボネート、ポリスチレン、ＰＥＴ、塩ビなどが挙げられ、重量や操作性、生産性の観点からアクリル樹脂（例えば、ポリメチルメタクリレート（ＰＭＭＡ）など）が好ましい。また、本発明に用いられる樹脂フィルム３の好ましい例としては、ポリエチレンテレフタレートフィルム、ポリ塩化ビニルフィルム、およびポリ塩化ビニリデンフィルムが挙げられるが、これらに限定されない。特に、樹脂フィルム３自体が透過部である場合は、樹脂フィルム３は光学材料として設計された樹脂を用いたフィルム、例えば、アクリル樹脂フィルムまたはポリオレフィン系樹脂フィルムであることが好ましい。
【００７３】
なお、電気泳動器具１００において、絶縁物１０、第１緩衝液槽５および第２緩衝液槽６が一体形成されている態様を用いて本発明を説明してきたが、これらは別々に構成されていてもよい。また、第１分離媒体４を第１分離媒体収納部４’にて作製しても、別途作製した第１分離媒体４を移動して第１分離媒体収納部４’に固定してもよい。第１分離媒体収納部４’は溝である必要はなく、その場合、下部基板１上の第１分離媒体４を固定する部位を囲むように、第１分離媒体４の厚みと等しいスペーサ（図示せず）を配置し、スペーサを介して下部基板１と上部基板２とを接着すればよい。
【００７４】
以上のように、１つの局面において、本発明に係る電気泳動器具は、第１分離媒体を保持する下部基板と、該下部基板の両端に緩衝液を充填する第１緩衝液槽および第２緩衝液槽を備え、下部基板上に上部基板を有し、該上部基板が樹脂フィルムからなることを特徴としている。
【００７５】
他の局面において、本発明に係る電気泳動器具は、第１分離媒体を保持している下部基板と、該下部基板の両端に緩衝液を充填する第１緩衝液槽および第２緩衝液槽を備え、下部基板上の第１分離媒体を樹脂フィルムが被覆していることを特徴としている。
【００７６】
このように本発明は、タンパク質分離スポットを得るための分離帯体に接する１つの面を薄膜にて被覆している。
【００７７】
本発明に係る電気泳動器具において、上記樹脂フィルムの膜厚が１２５μｍ以下で、かつ突き刺し強度が１〜５０ｍＮの範囲内であることが好ましい。
【００７８】
上記構成を有することにより、本発明に係る電気泳動器具は、中空針状体にて上記薄膜を突き刺し貫通してゲル（タンパク質スポット）を採取することができる。
【００７９】
本発明に係る電気泳動器具において、上記第１分離媒体がゲル状物質であることが好ましい。
【００８０】
本発明を用いれば、ゲルを取り出す必要がないので、ゲルの乾燥および／または変形を防止し得るとともに、ゲルを取り出した際に不可欠のゲルの洗浄を行うことなく低バックグラウンドにて分析し得る。
【００８１】
また、電圧印加終了（電気泳動終了）の後には、泳動終了時の目印となる色素マーカー、染料、およびサンプルに標識化されなかった蛍光色素がゲル端面（低分子量側）に分離している。これらの物質がサンプル分離後のゲルに接触することを防止し得るので、誤った分析を防止し得る。
【００８２】
さらに、本発明を用いれば、観察しながら経時的にサンプリングし得、よって精度よい、迅速かつ大量なサンプル処理が可能になる。また、泳動中にゲルの一部を切り出すこともできる。
【００８３】
なおさらに、電圧印加終了（電気泳動終了）の後に高含有量タンパク質（またはＤＮＡ）のスポットを除去することができるので、微小スポットを容易に検出し得る。
【００８４】
本発明に係る電気泳動装置の一実施形態を、図５〜７に基づいて説明する。
【００８５】
図５は、本発明の一実施形態に係る電気泳動装置２００の要部構成を示す。本実施形態に係る電気泳動装置２００は、電気泳動器具１００および切り出し手段２０を備えている。電気泳動器具１００は、下部基板１、上部基板２、およびこれら２枚の基板の間に設けられた樹脂フィルム３からなる絶縁物１０の溝部４’に、２次元目電気泳動を行う第１分離媒体４が収納されている。すなわち、第１分離媒体４は樹脂フィルム３によって被覆されている。
【００８６】
切り出し手段２０は、電気泳動装置２００の移動手段（図示せず）により３軸方向に移動可能である。図５に示すように、切り出し手段２０はＺ軸方向（図中矢印方向）に移動することにより第１分離媒体４を被覆する樹脂フィルム３を貫通し、第１分離媒体４を突き刺して所望のタンパク質（またはＤＮＡなど）のバンドを回収する。上述したように、第１分離媒体４中の所望のタンパク質（またはＤＮＡなど）のバンドを切り出し手段２０によって首尾よく貫かれなければならない。よって、樹脂フィルム３は、中空針状体にて突き刺し貫通可能な樹脂薄膜であることが好ましく、膜厚が１２５μｍ以下であることが好ましく、３０〜１２５μｍの範囲内であることがより好ましい。また、樹脂フィルム３は、先端径５ｍｍ以下の中空針状体にて突き刺し貫通可能な樹脂薄膜であることが好ましく、突し刺し強度が１〜５０ｍＮの範囲内であることがなお好ましい。このような構成を有することにより、電気泳動装置２００を用いる際に、作業者はゲルに接触する必要がない。また、電気泳動の最中に電圧負荷を一旦停止して、一部のタンパク質（またはＤＮＡなど）をサンプリングした後、再度電圧負荷して電気泳動を再開することができる。
【００８７】
なお、本発明に係る電気泳動装置２００は、切り出し手段２０、照射手段３０および検出手段４０の動作を首尾よく制御し、かつ収集したデータを処理する制御手段（図示せず）を備えている。本実施形態における制御手段は、演算部、記憶部、処理部などの複数の機能部位を併せ持つ構成を有する制御部を備えている。制御手段の記憶部には、制御手段の処理部にて行われる演算を実行するプログラムが格納されており、記憶部には収集されたデータもまた記録され、必要に応じて処理部に入力される。制御部において、記憶部に格納されたプログラムを演算部が実行し、図示しない入出力回路などの周辺回路を制御することによって、制御が実現される。周辺回路としては、種々の設定値（例えば、用いる蛍光物質の励起波長／蛍光波長など）を格納する格納部、検出された値と格納されている値とを比較する比較部、比較結果に基づいて移動手段や切り出し手段を制御するための出力を算出する処理部などの間に形成される回路などが挙げられるが、これらに限られない。これらの機能ブロックは、全て演算部の制御を受けており、これら機能ブロックは、その具体的な構成、機能等は特に限定されるものではない。
【００８８】
電気泳動器具１００にて実際に電気泳動を行うために、図７に示すように、第１緩衝液槽５および第２緩衝液槽６に設けられた第１電極５２および第２電極５３を介して第１電圧印加手段５０によって第１分離媒体４に電圧が印加される。その結果、第２開口部８から第１開口部７に向かって電流が流れるとともに第１分離媒体４にアプライされたサンプルが第１開口部７から第２開口部８に向かって展開／分離される。
【００８９】
本実施形態に係る電気泳動装置２００では、第１電極５２および第２電極５３が配線手段５１によって第１電圧印加手段５０と連結されている。第１電極５２および第２電極５３は、それぞれ第１緩衝液槽５および第２緩衝液槽６に固定されていてもよいが、電気泳動器具１００を用いるサンプルごとに交換することを考慮すると、固定されていないことがより好ましい。配線手段５１が移動手段（図示せず）によって移動可能である場合は、第１緩衝液槽５および第２緩衝液槽６に設けられた電極固定部（図示せず）に着脱可能な形態であってもよい。また、図７に示すように、第１電極５２および第２電極５３は、それぞれ第１緩衝液槽５および第２緩衝液槽６に充填される緩衝液中に挿入されるだけでもよい。
【００９０】
なお、第１電極５２および第２電極５３は、固定されずに移動可能である場合、容易に洗浄され得る。
【００９１】
本発明に係る電気泳動装置の別の実施形態を、２次元電気泳動装置２０１を例として、図８〜９に基づいて説明する。
【００９２】
図８は、本発明の一実施形態に係る２次元電気泳動装置２０１の要部構成を示す。本実施形態に係る２次元電気泳動装置２０１は、２Ｄセル（電気泳動器具）１００および１Ｄセル（分離器具）７０を備えている。２Ｄセル１００には、下部基板１、上部基板２、およびこれら２枚の基板の間に設けられた樹脂フィルム３からなる絶縁物１０の溝部４’に、２次元目電気泳動を行う第１分離媒体４が収納されている。すなわち、第１分離媒体４は樹脂フィルム３によって被覆されている。
【００９３】
電気泳動装置２０１では、１Ｄセル７０は、実際に電気泳動を行うために１Ｄ分離槽７１を有する。１Ｄ分離槽７１では、図８に示すように、第３電極８２を介して第２電圧印加手段８０によって１Ｄゲル（第２分離媒体）（図示せず）に電圧が印加される。その結果、１Ｄゲルにアプライされたサンプルが図８の紙面垂直方向に向かって展開／分離される。
【００９４】
本実施形態に係る２次元電気泳動装置２０１では、第１電極５２および第２電極５３が配線手段５１によって第１電圧印加手段５０と連結されており、かつ第３電極８２が第２配線手段８１によって第２電圧印加手段８０と連結されている。
【００９５】
第１電極５２および第２電極５３は、それぞれ第１緩衝液槽５および第２緩衝液槽６に固定されていてもよいが、２Ｄセル１００を用いるサンプルごとに交換することを考慮すると、固定されていないことがより好ましい。配線手段５１が移動手段（図示せず）によって移動可能である場合は、第１緩衝液槽５および第２緩衝液槽６に設けられた電極固定部（図示せず）に着脱可能な形態であってもよい。また、図８に示すように、第１電極５２および第２電極５３は、それぞれ第１緩衝液槽５および第２緩衝液槽６に充填される緩衝液中に挿入されるだけでもよい。
【００９６】
第３電極８２は、第１電極５２および第２電極５３と同様に、１Ｄ分離槽７１に固定されていてもよいが、１Ｄセル７０および２Ｄセル１００を用いるサンプルごとに交換することを考慮すると、固定されていないことがより好ましい。配線手段８１が移動手段（図示せず）によって移動可能である場合は、１Ｄ分離槽７１に設けられた電極固定部（図示せず）に着脱可能な形態であってもよい。また、図８に示すように、第３電極８２は、１Ｄ分離槽７１に充填される緩衝液中に挿入されるだけでもよい。
【００９７】
なお、第１電極５２、第２電極５３および第３電極８２は、固定されずに移動可能である場合、容易に洗浄され得る。また、装置の自動化を考慮すると、１Ｄセル７０および２Ｄセル１００は、ステージ（固定基板）６０上に固定されていることが好ましい。
【００９８】
図９は、本実施形態に係る２次元電気泳動装置２０１における工程を自動化にて行うための要部構成を示す。２次元電気泳動装置２０１は、１Ｄセル７０および２Ｄセル１００をステージ６０上に備えている。２Ｄセル１００には、下部基板１、上部基板２、およびこれら２枚の基板の間に設けられた樹脂フィルム３からなる絶縁物１０の溝部４’に、２次元目電気泳動を行う第１分離媒体４が収納されている。すなわち、第１分離媒体４は樹脂フィルム３によって被覆されている。
【００９９】
図９に示すように、１Ｄゲル７２が支持板７３と接着しゲル付支持板７４を形成している。市販されている１Ｄゲル７２の裏面には約０．２ｍｍ厚の透明樹脂シートが付着しているので、接着剤を用いてこのシート部分と支持板７３とを接着すればよい。なお、接着材は当該分野において公知のものを使用すればよいが、１Ｄゲル７２を支持板７３と接着させた状態で使用時まで低温（−２０℃）で保存することが好ましいので、低温保存に適した接着剤を用いることが好ましい。また、このような温度特性は、支持板７３についても同様である。支持板７３は本実施形態に係る２次元電気泳動装置２０１の移動手段（図示せず）によって駆動されるアーム９０によって保持される。アーム９０は移動手段（図示せず）によって、図中に示すようにＸ方向および／またはＺ方向に移動可能である。
【０１００】
第１緩衝液槽５において上部基板２を貫く開口の幅は、対応する下部基板１の溝幅より広い。この差分によって形成されたサンプル供給口によって、１Ｄゲル７２と２Ｄゲル４とを密着させ得、よって１Ｄ分離槽７１にて１次元目のサンプル分離を終えた１Ｄゲル７２中のサンプルの２次元目分離を首尾よく行い得る。なお、本実施形態では、図９に示すように、第１開口部７がサンプル供給口を兼ねている。
【０１０１】
図９において左方から右方に向けて２次元電気泳動が実行される。２次元電気泳動装置２０１において実行される各工程について説明すると以下の通りである。
【０１０２】
２次元電気泳動に必要なサンプル、試薬、分離媒体を所定の位置にセットした後に、制御手段（図示せず）は、２次元電気泳動装置２０１の手段を適切に制御しかつ全工程を自動にて実行させる。制御を開始することにより制御手段により駆動される移動手段（図示せず）がアーム９０を移動（搬送）し、よって、１Ｄゲル７２は、間接的に移動（搬送）される。
【０１０３】
１次元目のサンプル分離に必要な処理を施された１Ｄゲル７２は、第２分離槽７１まで搬送され、第２分離槽７１内の第３電極６２間に配置される。ここで、第２電圧印加手段８０によって１Ｄゲル７２に電圧が印加されて、サンプルが１Ｄゲル７２中にて第１方向に分離される。サンプル分離に必要な時間および必要な電圧に関する情報もまた、制御手段の格納部に記録されている。上述した各情報は、制御手段の格納部に記録されたプログラムによって、用いる１Ｄゲル７２の種類、サンプルの種類、各試薬の種類に従って適宜選定かつ実行される。
【０１０４】
１Ｄゲル７２中にて第１方向への分離が終了した後、１Ｄゲル７２は、１次元目のサンプル分離後（２次元目のサンプル分離前）に必要な処理を施すために所定位置まで移動手段により搬送され、必要に応じて微小振盪される。次いで、処理後の１Ｄゲル７２は、２Ｄゲル４のサンプル供給口７まで移動手段により搬送され、２Ｄゲル４に密着される。
【０１０５】
１Ｄゲル７２が２Ｄゲル４に密着された後に第１電圧印加手段５０によって２Ｄゲル４に電圧が印加されることにより、２Ｄゲル４において、１Ｄゲル７２中で第１方向に分離した分離サンプルが、第１方向（Ｙ軸方向）と異なる第２方向（Ｘ軸右方向）にさらに分離される。この第２方向へのサンプル分離を実行するために、２Ｄセル１００では、第１方向に分離したサンプルを含む１Ｄゲル７２を２Ｄゲル４に密着させる工程；２Ｄゲル４に電圧を印加してサンプルを第２方向に分離する工程；第２方向への分離中のサンプルを検出する工程が行われる。
【０１０６】
なお、２Ｄゲル４での分離において必要な時間などの情報もまた、制御手段の格納部に記録されている。上述した各情報は、制御手段の格納部に記録されたプログラムによって、用いる１Ｄゲル７２および２Ｄゲル４の種類、サンプルの種類、各試薬の種類に従って適宜選定かつ実行される。
【０１０７】
照射手段３０および検出手段４０を用いることにより、サンプルの第２方向への分離途中にサンプルの分離状況を電気泳動終了時または電気泳動中に高感度で分析する。必要に応じて、第１電圧印加手段５０による２Ｄゲル４への電圧印加を停止し、目的の位置に存在する蛍光標識化されたタンパク質（またはＤＮＡなど）のスポットまたはバンドを切り出し手段２０によって切り出す。
【０１０８】
なお、用いる蛍光物質の特性などの情報もまた、制御手段の格納部に記録されている。上述した各情報は、制御手段の格納部に記録されたプログラムによって、用いる１Ｄゲル７２および２Ｄゲル４の種類、下部基板１および／または樹脂フィルム３の種類、サンプルの種類、各試薬の種類に従って適宜選定かつ実行される。
【０１０９】
２次元電気泳動装置２０１では、１Ｄゲル７２にてサンプルは第１方向に分離され、次いで、２Ｄゲル４にて第２方向に分離される。第１方向への分離と第２方向への分離を規定するパラメータは同じであってもよいが、分離性能を向上させるためにはそれぞれ異なることが好ましい。これら２方向への分離を規定するパラメータとしては、タンパク質の等電点、分子量、単位サイズあたりの表面電荷（ゾーン電気泳動）、ミセルへの分配係数（ミセル動電クロマトグラフィー）、固定相−移動相への分配係数（電気クロマトグラフィー）、相互作用物質との親和定数（親和結合電気泳動）などが挙げられるが、通常の２次元電気泳動では、第１方向への分離が等電点に基づいて、第２方向への分離が分子量に基づいて行われる。
【０１１０】
１Ｄセル７０および２Ｄセル１００をサンプルごとに交換して用いるべきであることを考慮すると、これらの固定化は着脱可能であることが好ましい。１Ｄセル７０および２Ｄセル１００を、ステージ（固定基板）６０に固定するための機構としては、真空吸引機構、挟固定機構、磁力固定機構および静電吸着機構が挙げられるが、これらに限定されない。アーム９０によるゲル付支持板７４の保持もまた同様である。また、真空吸引機構を採用する場合は、真空吸着プレート（図示せず）を介して固定することが好ましい。
【０１１１】
電気泳動装置２００においては、ゲル付支持板７４の３次元での位置精度が重要であるが、電気泳動装置２００の有する制御手段（図示せず）の制御下にてアーム９０が精度よく移動され、１Ｄゲル７２に対して種々の工程が精度よく実行される。また、電極５２・５３・８２の搬送／固定を自動化にて行う場合は、制御手段の制御下にてアーム９０が、第１緩衝液槽５、第２緩衝液槽６および１Ｄ分離槽７１への電極５２・５３・８２の搬送／固定を行い得る。
【０１１２】
電気泳動は高電圧下にて行われるので、サンプルの分離中には１Ｄセル７０および２Ｄセル１００は高温になる。よって２次元電気泳動装置２０１には、１Ｄセル７０および２Ｄセル１００ならびにこれらを固定するステージ６０を冷却するための冷却手段（図示せず）がステージ６０直下に設けられている。特に、２次元電気泳動装置２０１は、ペルチェ冷却制御機構を採用することにより、電気泳動時の１Ｄセル７０および２Ｄセル１００の温度を一定に保つことができる。
【０１１３】
また、本発明に係る２次元電気泳動装置２０１は、図中に明示していないが、１Ｄゲル７２および２Ｄゲル４の温度制御を行うための温度制御手段（図示せず）などを備えることにより、さらに高度なサンプル分離を行い得る。
【０１１４】
このように２次元電気泳動装置２０１において、制御手段による上述したような制御が実行されることにより、２次元電気泳動の工程を全自動にて行い得る。また、２次元電気泳動装置２０１が、上述したような制御が実行する制御手段を有することにより、種々のプロトコルの選定および／または導入を容易に行って、サンプル分離性能を追求することができる。また、２次元電気泳動の電圧印加プログラムをコンピュータにてフィードバック制御するための２次元用高電圧印加制御システムを導入し、自動ステージと連携して制御することができる。
【０１１５】
以上のように、１つの局面において、本発明に係る電気泳動装置は、第１分離媒体を保持する下部基板と、該下部基板の両端に、第１電極および第２電極を有しかつ緩衝液を充填する第１緩衝液槽および第２緩衝液槽を備え、下部基板に保持された第１分離媒体上に樹脂フィルムからなる上部基板を有し、第１緩衝液槽および第２緩衝液槽は緩衝液で満たされてなることを特徴としている。
【０１１６】
本発明に係る電気泳動装置において、上記樹脂フィルムの膜厚が１２５μｍ以下で、かつ突き刺し強度が１〜５０ｍＮの範囲内であることが好ましい。
【０１１７】
本発明に係る電気泳動装置において、上記下部基板の上部に照射手段および検出手段を備えることが好ましい。
【０１１８】
本発明に係る電気泳動装置において、上記第１分離媒体がゲル状物質であることが好ましい。
【０１１９】
ヒトゲノムプロジェクトが終了した後、プロテオーム研究が盛んに行われている。「プロテオーム」とは、特定の細胞、器官、臓器の中で翻訳生産されているタンパク質全体が意図され、その研究としてはタンパク質のプロファイリングなどが挙げられる。
【０１２０】
タンパク質をプロファイリングする手法の１つとして最も用いられているものが、タンパク質の２次元電気泳動である。タンパク質は、電荷および分子量の独特の性質を有しているので、多数のタンパク質の混合物であるプロテオームから電荷のみまたは分子量のみに依存して個々のタンパク質を分離するよりも、両者を組み合わせることにより、より多くのタンパク質を高分解能にて分離することができる。
【０１２１】
２次元電気泳動は、タンパク質を電荷に依存して分離する等電点電気泳動、および分子量に依存して分離するスラブゲル電気泳動（特に、ＳＤＳ−ＰＡＧＥ）の２つの電気泳動ステップからなる。また、２次元電気泳動は、用いるサンプルを変性剤存在下または非存在下にて行うことことも可能であり、数百種類以上のタンパク質を一度に分離し得る、優れた手法である。
【０１２２】
２次元電気泳動では、サンプルを１次元目ゲルにて等電点電気泳動を行った後、１次元目ゲルを取り出して２次元目ゲルにアプライし、分子量に基づいて２次元目の分離を行う。通常、等電点電気泳動を行う１次元目ゲルは、その幅や長さに比べて非常に薄い形状を有している。よって、ゲルの表裏、ｐＨ勾配の方向の識別が困難であるだけでなく、反りや捩れが発生しやすく、形状を一定に保つことが困難である。このことは電気泳動結果の再現性が悪い要因となりやすい。さらに、１次元目ゲルの操作もまた容易ではなく、１次元目ゲルを２次元目ゲルまで移動する際の位置精度を向上させることは困難である。
【０１２３】
このように２次元電気泳動は優れた手法である一方で、熟練した技術を要する。作業者の熟練度に依存するので、２次元電気泳動を用いて再現性よく定量的なデータを取得することは困難である。
【０１２４】
しかし、本発明を用いれば、２次元電気泳動の工程を全自動にて行い得、かつ再現性よく定量的なデータを取得することができる。
【０１２５】
なお、本明細書において、電気泳動器具および電気泳動装置について本発明を説明してきたが、本明細書を読んだ当業者は、本発明はまた、タンパク質の分離方法（タンパク質の電気泳動方法）を提供することを容易に理解する。
【０１２６】
すなわち、１つの局面において、本発明は、
・分離媒体を保持する下部基板と、該下部基板の両端に、緩衝液を充填する第１緩衝液槽および第２緩衝液槽を備えた電気泳動器具の下部基板に、予め蛍光染色済みのタンパク質試料を含む第１分離媒体を保持する工程、
・該保持された第１分離媒体上に樹脂フィルムからなる上部基板を配置する工程、
・第１緩衝液槽および第２緩衝液槽に緩衝液を充填する工程、
・緩衝液下部基板に第１電極および第２電極を配置する工程、
・電気泳動によりタンパク質を分離する工程、
・分離する様子又は分離した結果を該上部基板上部に位置する照射手段および検出手段により検出する工程、
を有していることを特徴としているタンパク質の分離方法を提供する。
【０１２７】
本発明に係るタンパク質の分離方法において、上記タンパク質を分離する工程でタンパク質を分離し、蛍光により検出した後、所望のタンパク質が分離されている分離媒体をフィルム上から回収針を突き刺すことにより回収することが好ましい。
【０１２８】
本発明に係るタンパク質の分離方法において、上記樹脂フィルムの膜厚が１２５μｍ以下で、かつ突き刺し強度が１〜５０ｍＮの範囲内であることが好ましい。
【０１２９】
本発明に係るタンパク質の分離方法において、上記第１分離媒体がゲル状物質であることが好ましい。
【０１３０】
尚、発明を実施するための最良の形態の項においてなした具体的な実施態様は、あくまでも、本発明の技術内容を明らかにするものであって、そのような具体例にのみ限定して狭義に解釈されるべきものではなく、当業者は、本発明の精神および添付の特許請求の範囲内で変更して実施することができる。
【０１３１】
また、本明細書中に記載された学術文献および特許文献の全てが、本明細書中において参考として援用される。
【産業上の利用可能性】
【０１３２】
本発明に係る電気泳動器具は、電気泳動装置（特に２次元電気泳動装置）の不利益を改善し得、現在盛んに行われているプロテオーム研究をより発展させることができる。また、本発明に係る電気泳動器具を電気泳動装置の一部として、または一部材として別々に作製・販売することができるので、機械分野、化学分野、生物分野を問わず、市場を活性化することができる。
【図面の簡単な説明】
【０１３３】
【図１】本発明の一実施形態に係る電気泳動器具の要部構成を示す斜視図である。
【図２】本発明の一実施形態に係る電気泳動器具の要部構成を示す断面図である。
【図３】本発明の一実施形態に係る電気泳動器具の要部構成を説明するための模式図である。
【図４】本発明の一実施形態に係る電気泳動器具の要部構成を説明するための断面図である。
【図５】本発明の一実施形態に係る自動化２次元電気泳動装置の要部構成を示す断面図である。
【図６】本発明の一実施形態に係る自動化２次元電気泳動装置の要部構成を示す断面図である。
【図７】本発明の一実施形態に係る自動化２次元電気泳動装置の要部構成を示す断面図である。
【図８】本発明の一実施形態に係る自動化２次元電気泳動装置の要部構成を示す断面図である。
【図９】本発明の一実施形態に係る自動化２次元電気泳動装置の要部構成を示す断面図である。
【図１０】本発明の一実施形態に係る電気泳動器具の要部構成を示す斜視図である。
【図１１】本発明の一実施形態に係る電気泳動器具の要部構成を示す断面図である。
【符号の説明】
【０１３４】
１        下部基板（第１板状絶縁体）
２        上部基板（第２板状絶縁体）
３        樹脂フィルム（絶縁薄膜）
４        ２Ｄゲル（第１分離媒体）
４’      溝部（第１分離媒体収納部）
５        第１緩衝液槽
６        第２緩衝液槽
７        第１開口部
８        第２開口部
９        第３開口部
１０      絶縁物
２０      切り出し手段
３０      照射手段
４０      検出手段
５０      第１電圧印加手段
５１      第１配線手段
５２      第１電極
５３      第２電極
６０      ステージ（固定基板）
７０      １Ｄセル（分離器具）
７１      １Ｄ分離槽
７２      １Ｄゲル（第２分離媒体）
７３      支持板
７４      ゲル付支持板
８０      第２電圧印加手段
８１      第２配線手段
８２      第３電極
９０      アーム
１００    ２Ｄセル（電気泳動器具）
２００    電気泳動装置
２０１    ２次元電気泳動装置
【図１】
0004728072.tif 000002
【図２】
0004728072.tif 000003
【図３】
0004728072.tif 000004
【図４】
0004728072.tif 000005
【図５】
0004728072.tif 000006
【図６】
0004728072.tif 000007
【図７】
0004728072.tif 000008
【図８】
0004728072.tif 000009
【図９】
0004728072.tif 000010
【図１０】
0004728072.tif 000011
【図１１】
0004728072.tif 000012